(57)【要約】【課題】調理タイマが動作中であることが分かりやすいグリルを低コストで提供することを目的とする。【解決手段】調理中に表示部１９に表示される残り時間表示は、所定の周期で間欠的に行われ、その間には残り時間表示とは異なるアニメーション表示が行われる。すなわち、表示部１９には残り時間のみが単調に表示されるだけでなく、表示形態に動きが生じるので、使用者は、表示部１９をぱっと見るだけで調理タイマが実際に動作していることを認識することができ、使い勝手が向上する。しかも、調理タイマが動作していることを示すための特別な装置を設ける必要もないので、製造コストを抑制できる。【選択図】  図５
2004357895.tif 000002
【特許請求の範囲】
【請求項１】
グリル庫内で燃料ガスを燃焼するバーナと、
燃焼動作開始から設定調理時間が経過した時に、上記バーナの燃焼動作を停止するか、あるいは調理完了の旨を報知するタイマ手段と、
上記タイマ手段の残り時間を数字で表示する数値表示器と
を備えたグリルにおいて、
上記数値表示器は、数字による残り時間表示を所定の周期で間欠的に行い、残り時間表示を行わない期間には数字とは異なる表示を行うことを特徴とするグリル。
【請求項２】
上記残り時間表示は、少なくとも残り時間を分単位で表示する期間を有し、分単位の残り時間が変化する時には、上記数値表示器には、常に残り時間が表示されるように、残り時間の表示周期を設定したことを特徴とする請求項１記載のグリル。
【請求項３】
上記数値表示器は、複数のセグメントから構成され、そのうちの任意のセグメントを点灯することにより数字を表示する表示器であり、上記残り時間表示とは異なる表示時には、点灯するセグメントが時間経過にともなって隣接するセグメントに移動していくように、各セグメントを点灯制御することを特徴とする請求項１又は請求項２記載のグリル。
【請求項４】
上記数値表示器は、上記各セグメントを点灯制御するにあたり、残り時間表示とは異なる表示時に同時に点灯するセグメント数を、残り時間の数字表示時に同時に点灯するセグメント数以下に制限することを特徴とする請求項３記載のグリル。
【請求項５】
上記数値表示器は、７セグメント表示器にて構成されることを特徴とする請求項３又は請求項４記載のグリル。
【請求項６】
上記数値表示器は、上記各セグメントを点灯制御するに当たり、同時に点灯するセグメント数を最大二つに制限して数字表示とは異なる表示を行うことを特徴とする請求項５記載のグリル。
【発明の詳細な説明】
【０００１】
【発明の属する技術分野】
本発明は、調理タイマを備えたグリルに関する。
【０００２】
【従来の技術】
従来から、設定調理時間の経過後に自動消火する調理タイマ付グリルが知られている。このような調理タイマを備えることにより、焼具合が安定すると共に、調理中に焼具合をチェックするといった手間を減らすことができる。
このようなグリルでは、図７に示すように、調理タイマの残り時間を器具正面に設けた表示部１１９に表示して、使用者に残りの調理時間を知らせるようにしている。
【０００３】
ところで、上述したようなグリルでは、表示部１１９に残り時間を示す数字のみが点灯しているだけであるから、ぱっと見ただけでは、本当に調理タイマが動作しているのか分かりにくいという欠点があった。
そこで、特許文献１に示されるグリルでは、図８に示すように、表示部２１９内の数字右下にドット２２３を設け、調理タイマが動作中には残り時間を点灯表示するだけでなく、ドット２２３を点滅表示させることにより調理タイマが動作中であることを分かりやすくしたグリルや、図９に示すように、調理タイマが動作中には表示部３１９に表示された残り時間を点滅表示することによりタイマ動作中であることを分かりやすくしたグリルが提案されている。
【０００４】
【特許文献１】
特公平５−６５１７０号公報
【０００５】
【発明が解決しようとする課題】
しかしながら、数字表示器とは別にドット２２３を設ける前者のグリルでは、その分コストアップにつながってしまうという問題が生じる。
また、一般的に、グリルバーナの途中失火等のエラー表示をする場合には、点灯表示から点滅表示に切り替える場合が多いため、後者の残り時間を点滅表示にするグリルでは、エラーが発生した場合と間違いやすいという問題がある。
また、上述したような表示部には多くの場合７セグメントＬＥＤを使用しており、数字の８や９などを表示するためには、多くのセグメントを点灯させなければならず、電力消費が大きくなってしまうという問題があった。
本発明のグリルは上記課題を解決し、調理タイマが動作中であることが分かりやすいグリルを低コストで提供することを目的とする。
【０００６】
【課題を解決するための手段】
上記課題を解決する本発明の請求項１記載のグリルは、
グリル庫内で燃料ガスを燃焼するバーナと、
燃焼動作開始から設定調理時間が経過した時に、上記バーナの燃焼動作を停止するか、あるいは調理完了の旨を報知するタイマ手段と、
上記タイマ手段の残り時間を数字で表示する数値表示器と
を備えたグリルにおいて、
上記数値表示器は、数字による残り時間表示を所定の周期で間欠的に行い、残り時間表示を行わない期間には数字とは異なる表示を行うことを要旨とする。
【０００７】
また、本発明の請求項２記載のグリルは、上記請求項１記載のグリルにおいて、
上記残り時間表示は、少なくとも残り時間を分単位で表示する期間を有し、分単位の残り時間が変化する時には、上記数値表示器には、常に残り時間が表示されるように、残り時間の表示周期を設定したことを要旨とする。
【０００８】
また、本発明の請求項３記載のグリルは、上記請求項１又は請求項２記載のグリルにおいて、
上記数値表示器は、複数のセグメントから構成され、そのうちの任意のセグメントを点灯することにより数字を表示する表示器であり、上記残り時間表示とは異なる表示時には、点灯するセグメントが時間経過にともなって隣接するセグメントに移動していくように、各セグメントを点灯制御することを要旨とする。
【０００９】
また、本発明の請求項４記載のグリルは、上記請求項３記載のグリルにおいて、
上記数値表示器は、上記各セグメントを点灯制御するにあたり、残り時間表示とは異なる表示時に同時に点灯するセグメント数を、残り時間の数字表示時に同時に点灯するセグメント数以下に制限することを要旨とする。
【００１０】
また、本発明の請求項５記載のグリルは、上記請求項３又は請求項４記載のグリルにおいて、
上記数値表示器は、７セグメント表示器にて構成されることを要旨とする。
【００１１】
また、本発明の請求項６記載のグリルは、上記請求項５記載のグリルにおいて、
上記数値表示器は、上記各セグメントを点灯制御するに当たり、同時に点灯するセグメント数を最大二つに制限して数字表示とは異なる表示を行うことを要旨とする。
【００１２】
上記構成を有する本発明の請求項１記載のグリルは、燃焼動作開始から設定調理時間が経過した時に、バーナの燃焼動作を停止するか、あるいは調理完了の旨を報知する。
また、調理中は残りの調理時間が数値表示器に表示される。そして、この残り時間表示は、所定の周期で間欠的に行われ、その間には数字による残り時間表示とは異なる表示が行われる。すなわち、数値表示器には残り時間の数字表示のみが単調に表示されるだけでなく、表示形態に動きが生じるので、使用者は、数値表示器をぱっと見るだけでタイマ手段が実際に動作していることを認識することができる。
しかも、残り時間表示とは異なる表示は、数値表示器を利用して行われるため、別の表示器を備える必要もなくコストアップを抑制できる。
更に、残り時間表示とは異なる表示を、数字表示よりも電力消費が少ない表示形態とすることにより、器具全体としての電力消費を抑制することが可能となる。
尚、本発明でいう燃焼動作の開始とは、厳密なタイミングを規定するものではなく、バーナの点火操作時であっても着火検知時であってもよく、要するに調理を開始する時であればよい。
【００１３】
また、本発明の請求項２記載のグリルは、分単位の残り時間が変化する時には、数値表示器には残り時間が表示される。例えば、残り時間が９分から８分に変わる時にあわせて、あるいは少し前に数値表示器の表示形態を残り時間表示とは別の表示形態から残り時間表示に切り替わるようにする。従って、分単位の残り時間が変化した時には、数値表示器には必ず残り時間が表示される。すなわち、分表示の数字が切り替わる瞬間はｎ分００秒（ｎ：自然数）であり、中途半端な時間に（例えば、ｎ分２０秒等に）、数字が切り替わることはなく切り替わる瞬間を見ていれば、残り時間を正しく把握することができる。
【００１４】
また、本発明の請求項３記載のグリルは、数値表示器の各セグメントを点灯制御して、残り時間表示とは異なる表示時には、点灯するセグメントを時間経過にともなって隣接するセグメントに移動させていく。すなわち、残り時間表示とは異なる時間帯には、数値表示器に表示される表示がアニメーションのように一連に動く。このため、タイマ手段が実際に動作していることが一層分かりやすい。
しかも、この表示形態は、連続した一連のアニメーションのように表示されるため、エラー表示とも誤解しないし、誤って数字と認識してしまうこともない。
【００１５】
また、本発明の請求項４記載のグリルは、残り時間表示とは異なる表示時に同時に点灯するセグメント数を、残り時間の数字表示時に同時に点灯するセグメント数以下に制限しているため、確実に電力消費を低減できる。
【００１６】
また、本発明の請求項５記載のグリルは、表示能力の劣る安価な７セグメント表示器を用いても、点灯するセグメントを時間経過により隣接するセグメントに移動させるといった簡単な点灯制御を行うだけで表示に動きを生じさせることができる。
【００１７】
また、本発明の請求項６記載のグリルは、同時に点灯するセグメント数を最大二つに制限しているため、確実に電力消費を低減できる。つまり、７セグメント表示器で数字を表示する場合、数字「１」を表示する際に使用する二つのセグメントが最小使用セグメント数となるため、同時に点灯するセグメント数を二つ以下に制限しておけば、確実に数字表示のみを行う場合に比べて電力消費を低減できる。
【００１８】
【発明の実施の形態】
以上説明した本発明の構成・作用を一層明らかにするために、以下本発明のグリルの好適な実施形態について説明する。
【００１９】
図１は、本発明の実施形態としてのグリル付テーブルこんろの外観図である。このグリル付テーブルこんろ１は、正面パネル２２の略中央に開閉扉２を備え、その内部には魚等の被調理物を燃焼加熱するためのグリルバーナ３を備えたグリル４が設けられる。また、正面パネル２２の右側にはグリルバーナ３の点火、消火を行うための点火ボタン５と、グリルバーナ３の燃焼量を調節するための火力調節レバー６と、グリル４の調理タイマの設定及び表示を行なう操作部７とを備える。また、正面パネル２２の左側には乾電池８を収納する電池ケース９が備えられる。
【００２０】
次に、このグリル付テーブルこんろ１のグリル４の構成について説明する。図２は、グリル４の概略構成図である。
グリル４は、グリル庫１０内で燃料ガスを燃焼するグリルバーナ３と、グリルバーナ３に燃料ガスを供給するためのガス供給路１１と、高電圧を発生するイグナイタ１２と、イグナイタ１２からの高電圧が印可されることでスパークする電極１３と、グリルバーナ３の燃焼熱により熱起電力を発生する熱電対１４と、燃焼制御を司るコントローラ１５と、調理タイマの設定及び表示を行なう操作部７と、調理タイマのタイムアップ等を報知するブザー１６と、イグナイタ１２及びコントローラ１５の電源となる乾電池８とを備える。
また、ガス供給路１１には、点火ボタン５の押操作で開弁し次の押操作で閉弁するメイン弁１７と、点火ボタン５に押されて開弁し通電されることにより吸着開弁状態を保持するマグネット弁１８とを備える。また、点火ボタン５の押操作でＯＮし次の押操作でＯＦＦするスイッチＳ１と、点火時の点火ボタン５の押操作期間にのみＯＮするスイッチＳ２とをそれぞれ備える。
【００２１】
コントローラ１５は、主要部をマイコンによって構成され、各種センサから信号を入力する入力インタフェースと、各種アクチュエータに駆動信号を出力する出力インタフェース等から構成される。また、熱電対１４から発生する熱起電力が所定値（本実施形態では１．７５ｍＶ）以上になった時に着火ありと判断してマグネット弁１８に通電し、燃焼中に所定値（１．７５ｍＶ）以下になった時に失火したと判断して通電を停止する炎検知回路を備える。つまり、この炎検知回路は、燃焼中に失火した場合にグリルバーナ３へのガス流路を閉じて生ガスの流出を防ぐための立消え安全装置である。更に、熱電対１４による炎検知と同時に初期調理時間からのカウントダウンを開始する調理タイマを備える。
【００２２】
操作部７は、熱電対１４による炎検知と同時に初期調理時間を表示し、その後時間経過に応じた調理タイマの残り時間を表示する表示部１９と、調理時間を分単位で調節することができる＋スイッチ２０、−スイッチ２１とからなる。表示部１９は、二つの７セグメントＬＥＤを備える。
【００２３】
次に、本実施形態のグリル４の動作について図３のフローチャートを用いて説明する。
点火ボタン５を押すと（Ｓ１）、スイッチＳ１がＯＮしてコントローラ１５に通電される。そして、点火ボタン５の押操作に連動して、メイン弁１７、マグネット弁１８が機械的に押し開かれてグリルバーナ３に燃料ガスが流れ、同時にスイッチＳ２がＯＮし、イグナイタ１２がＯＮして電極１３がスパークしてグリルバーナ３に点火する（Ｓ２）。また、点火開始から、つまりスイッチＳ１がＯＮしてから７秒間の間は、マグネット弁１８に強制的に通電して吸着開弁保持させるクイック機能が備えられる（Ｓ２）。
そして、この７秒間の間にグリルバーナ３が燃焼を開始すると、熱電対１４が加熱されて熱電対１４の発生する熱起電力が上昇し、コントローラ１５が所定値（１．７５ｍＶ）以上の熱起電力を検出すると、着火ありと判断してマグネット弁１８に通電して吸着開弁状態を保持させる。
【００２４】
また、炎を検知すると（Ｓ４：ＹＥＳ）、調理タイマをスタートさせる（Ｓ５）とともに、表示部１９に残り時間を表示する（Ｓ６）。このタイマ表示の詳細については後述する。
そして、点火開始から７秒経過すると（Ｓ３：ＹＥＳ）、イグナイタ１２をＯＦＦして電極１３からのスパークを止める（Ｓ７）。この際、熱電対１４の熱起電力が所定値（１．７５ｍＶ）以上まで上昇していない場合には（Ｓ８：ＮＯ）、不着火異常であるとしてマグネット弁１８への通電を停止してマグネット弁１８を閉弁する（Ｓ９）。
【００２５】
炎が検知されている場合には（Ｓ８：ＹＥＳ）、調理タイマがタイムアップするまで表示部１９に残り時間を表示する（Ｓ１０）。そして、調理タイマがタイムアップすると（Ｓ１１：ＹＥＳ）、調理完了と判断して、マグネット弁１８への通電を停止し燃料ガスの供給を止めてグリルバーナ３を消火する（Ｓ１２）。また、タイムアップ後１０秒経過すると残り時間の表示をやめる（Ｓ１２）。尚、タイムアップ後の１０秒間には、表示部１９には残り時間として０が表示されている。
【００２６】
また、調理開始時に、希望する調理時間と表示部１９に表示されている初期調理時間とが異なる場合には、＋スイッチ２０を押すことにより調理時間を長く、−スイッチ２１を押すことにより調理時間を短く調節することができる。調理タイマは調理時間が調節されると直ちにその設定値からのカウントダウンを開始する。
【００２７】
次に、タイマ表示制御について図４に示すフローチャートを用いて詳述する。ステップ４で炎を検知すると、調理タイマをスタートさせる（Ｓ１３）とともに、図５に示すように表示部１９に残り時間（分）を表示する（Ｓ１４）。尚、本実施形態では、調理タイマの初期値は１２分に設定されている。また、上述したように、タイマ表示中に、＋スイッチ２０または−スイッチ２１でタイマ値を調整でき、調整した時点で秒単位のタイマ値は００秒に切り上げられる。例えば、１２分の途中（すなわち、タイマ値は、例えば、１１分３０秒）で、＋スイッチ２０が押されると、タイマ値は１３分００秒となる。
残り時間表示が開始されてから１．５秒が経過すると（Ｓ１５：ＹＥＳ）、図５に示すように、表示部１９の表示形態が残り時間表示からアニメーション表示に切り替わる（Ｓ１６）。すなわち、残り時間表示用の７セグメントＬＥＤを利用して数字表示とは異なるアニメーション表示を行う。尚、図５の一マスは０．５秒間の表示時間であり、調理タイマがスタートすると一番左上のマスから表示が始まって、右方向へと移動し一段目の右端にくると、二段目の左端に進む。そして、二段目が終わり、三段目の右端までくると、一番左上のマスに戻り再び右方向へ移動する。
【００２８】
このアニメーション表示は、まず、一瞬、全てのセグメントが消灯し、二つ並んだ７セグメントＬＥＤそれぞれの内側上部のセグメントが点灯する。そして、それぞれの７セグメントＬＥＤの上部のセグメントが点灯し、それぞれ点灯するセグメントが時間経過により（０．５秒間隔で）隣接するセグメントに移動していくことで、二つの７セグメントＬＥＤのそれぞれが内側から外側に向かって回転していく表示形態である。尚、この内側から外側に向かって回転していく様子は、グリルバーナ３の排気の流れ（排気がグリル庫１０内にこもる様子）を表しており、遊び心にあふれている。
また、このアニメーション表示で同時に点灯するセグメント数は最大で二つであり、これは数字表示の際に最も少ないセグメントを使用する「１」の場合と同じセグメント数に設定している。
そして、このアニメーション表示は、４．５秒で終了し（Ｓ１７：ＹＥＳ）、残り時間（分）表示に切り替わる（Ｓ１４）。
【００２９】
上述したような残り時間表示とアニメーション表示とは、調理タイマの残り時間が３０秒になるまで交互に繰り返される。そして、残り時間表示とアニメーション表示の１サイクルの表示時間（６秒間）を、１分間（６０秒）の約数としたため、残り時間（分）が変わる瞬間（例えば、１２分→１１分）には、表示部１９に必ず残り時間を表示させることができる。すなわち、分表示の数字が切り替わる瞬間はｎ分００秒であり、中途半端な時間に（例えば、ｎ分２０秒等に）、数字が切り替わることはなく切り替わる瞬間を見ていれば、残り時間を正しく把握することができ、使い勝手がよい。
【００３０】
残り時間（分）表示とアニメーション表示とを繰り返すうちに、残り時間が３０秒になると（Ｓ１８：ＹＥＳ）、ブザー１６を鳴らす（Ｓ１９）とともに、図６に示すように表示部１９の表示を秒単位の残り時間表示に切り替える（Ｓ２０）。そして、残り時間表示とアニメーション表示の１サイクルの表示時間（６秒間）を、３０秒の約数としたため、秒単位の残り時間表示に切り替わる瞬間にも、表示部１９に必ず秒単位の残り時間の初期値（３０）を表示させることができる。
秒単位の残り時間表示に切り替わった後は、図６に示すように、表示部１９には、残り時間（秒）のみがカウントダウンされながら表示され、アニメーション表示は行わない。
【００３１】
そして、調理タイマがタイムアップすると（Ｓ２１：ＹＥＳ）、調理完了と判断して、ブザー１６を鳴らして使用者に報知する（Ｓ２２）とともに、マグネット弁１８への通電を停止し燃料ガスの供給を止めてグリルバーナ３を消火する（Ｓ２３）。尚、この際のブザー音は残り時間が３０秒となった際のブザー音とは異なるように設定する。
また、タイムアップ後１０秒経過すると（Ｓ２４：ＹＥＳ）、残り時間の表示を消灯する（Ｓ２５）。尚、タイムアップ後の１０秒間には、表示部１９には残り時間として０が表示されている。
【００３２】
上述したグリル４によれば、調理中に表示部１９に表示される残り時間表示は、所定の周期で間欠的に行われ、その間には残り時間表示とは異なるアニメーション表示が行われる。すなわち、表示部１９には残り時間のみが単調に表示されるだけでなく、表示形態に動きが生じるので、使用者は、表示部１９をぱっと見るだけで調理タイマが動作中であることが分かりやすくなり、使い勝手が向上する。
しかも、表示部１９の表示形態が切り替わるだけでなく、その表示は時間経過とともに表示が動くアニメーション表示であるため、時間表示の期間以外においては、調理タイマが実際に動いていることが一層分かりやすい。更に、点灯するセグメントを時間経過により隣接するセグメントに移動させるといった簡単な点灯制御を行うだけで、表示能力の劣る安価な７セグメントＬＥＤを用いて上述したようなアニメーション表示を行うことができるため、製造コストを抑制できる。
【００３３】
また、アニメーション表示で同時に点灯するセグメント数を、残り時間表示の際に同時に点灯する使用するセグメント数以下に設定しているため、電池の消耗を少なくでき、経済的である。つまり、７セグメントＬＥＤで数字を表示する際に、同時に点灯する最も少ないセグメント数は、数字「１」の場合の二つであり、次に少ないのは、「４」と「７」の場合の四つであるため、アニメーション表示の際の最大同時点灯数を二つとすることで、かなりの電力消費を抑制できる。このため、乾電池８を交換する回数を減らすことができ、使い勝手が向上する。
尚、本実施形態では、表示部に二つの７セグメントＬＥＤを利用しているため、最大で四つのセグメントを同時に点灯することになるが、この場合でも数字「１」の場合を除いては、同時に点灯するセグメント数を数字表示時以下にできるので電力消費を抑制できる。
【００３４】
以上本発明の実施形態について説明したが、本発明はこうした実施形態に何等限定されるものではなく、本発明の要旨を逸脱しない範囲において、種々なる態様で実施し得ることは勿論である。
例えば、本実施形態の表示部１９には、７セグメントＬＥＤを使ったが、これに限ったものではなく、ドットマトリックスを用いたものなど種々の表示器を用いても構わない。
【００３５】
【発明の効果】
以上詳述したように、本発明の請求項１記載のグリルによれば、数値表示器への調理中の残り時間の表示を所定の周期で間欠的に行い、その間には残り時間表示とは異なる表示を行うことによって、表示形態に動きを生じさせているため、タイマ手段が実際に動作していることが分かりやすく、使い勝手が良い。
しかも、タイマ手段が動作していることを示すための特別な装置を設ける必要もないので、製造コストを抑制できる。
さらに、残り時間表示とは異なる表示を、数字表示よりも電力消費が少ない表示形態とすることにより、器具全体としての電力消費を抑制することが可能となる。
【００３６】
更に、本発明の請求項２記載のグリルによれば、分単位の残り時間が変化する時には、数値表示器に確実に残り時間を表示させることができるので、残り時間が正しく把握でき、使い勝手が良い。
【００３７】
更に、本発明の請求項３記載のグリルによれば、残り時間表示とは異なる表示時には、数値表示器に表示される表示がアニメーションのように動くため、タイマ手段が実際に動作していることが一層分かりやすい。
しかも、この表示形態は、連続した一連のアニメーションのように表示されるため、エラー表示とも誤解しないし、誤って数字と認識してしまうこともない。
【００３８】
更に、本発明の請求項４記載のグリルによれば、残り時間表示とは異なる表示で使用するセグメント数を、残り時間表示で使用するセグメント数以下に設定しているため、確実に電力消費を低減でき経済的である。
【００３９】
更に、本発明の請求項５記載のグリルによれば、表示能力の劣る安価な７セグメント表示器を用いても、点灯するセグメントを時間経過により隣接するセグメントに移動させるといった簡単な点灯制御を行うだけで表示に動きを生じさせることができるため、製造コストを抑制できる。
【００４０】
更に、本発明の請求項６記載のグリルによれば、同時に点灯するセグメント数を最大二つに制限しているため、確実に電力消費を低減でき経済的である。
【図面の簡単な説明】
【図１】本実施形態としてのグリル付テーブルこんろの外観図である。
【図２】本実施形態としてのグリルの概略構成図である。
【図３】本実施形態のグリルの動作を表すフローチャートである。
【図４】本実施形態のタイマ表示制御を表すフローチャートである。
【図５】残り時間表示とアニメーション表示との切り替わりを示す説明図である。
【図６】分単位の残り時間表示から秒単位の残り時間表示への移り変わりを示す説明図である。
【図７】従来例としての表示部の外観図である。
【図８】従来例としての表示部の外観図である。
【図９】従来例としての表示部の外観図である。
【符号の説明】
３…グリルバーナ、４…グリル、１０…グリル庫、１５…コントローラ、１６…ブザー、１９…表示部。
【図１】
2004357895.tif 000003
【図２】
2004357895.tif 000004
【図３】
2004357895.tif 000005
【図４】
2004357895.tif 000006
【図５】
2004357895.tif 000007
【図６】
2004357895.tif 000008
【図７】
2004357895.tif 000009
【図８】
2004357895.tif 000010
【図９】
2004357895.tif 000011